(57)【要約】【課題】受信品質の良い再生中継システムを提供する。【解決手段】地上放送局１４が送信した放送信号を衛星１０を介して受信する第１の受信部と、受信信号を復調する第１の復調部と、復調信号に識別情報及び制御信号に基づく出力レベル情報を付加する情報付加部と、前記情報を付加された信号を変調する変調部と、変調信号を前記出力レベル情報に対応した出力レベルで出力する出力部と、を有する再生中継器ＧＦと、前記再生中継器ＧＦが出力する信号を受信し、その電力レベル情報を測定する第２の受信部と、受信信号を復調する第２の復調部と、復調信号から前記識別情報及び出力レベル情報を検出する訂正部と、前記電力レベル情報と前記出力レベル情報との比較結果及び前記識別情報に基づいて前記制御信号を出力する制御信号出力部と、を有する受信品質測定装置１１と、を備える。【選択図】図１
2007336209.tif 000002
【特許請求の範囲】
【請求項１】
地上放送局が送信した放送信号を衛星を介して受信する受信部と、
前記受信部により受信された信号を復調する復調部と、
前記復調された信号に識別情報及び出力レベル情報を付加する情報付加部と、
前記識別情報及び出力レベル情報を付加された信号を変調する変調部と、
前記変調部により変調された信号を前記出力レベル情報に対応した出力レベルで出力する出力部と、
を備えることを特徴とする再生中継器。
【請求項２】
地上放送局が送信した放送信号を衛星を介して受信する受信部と、
前記受信部により受信された信号を復調する復調部と、
外部から制御信号を受信し、前記復調された信号に識別情報及び前記制御信号に基づいて設定された出力レベル情報を付加する情報付加部と、
前記識別情報及び出力レベル情報を付加された信号を変調する変調部と、
前記情報付加部から前記出力レベル情報を受信し、前記変調部により変調された信号を前記出力レベル情報に対応した出力レベルで出力する出力部と、
を備えることを特徴とする再生中継器。
【請求項３】
地上放送局が送信した放送信号を衛星を介して受信し、その受信信号に識別情報を付加して再送信する再生中継器から信号を受信する受信装置であって、
前記再生中継器からの信号を受信する受信部と、
前記受信部が受信した信号から複数のパスを検出する相関部と、
少なくとも一つの前記パスの信号を復調する復調部と、
前記復調部により復調された信号から前記識別情報を検出する情報検出部と、
前記複数のパスから所定の数のパスを選択するパス選択部と、
前記選択されたパスを復調し、前記識別情報と同じ識別情報を有する信号を合成する復調合成部と、
前記復調合成部により復調合成された信号の誤りを訂正する訂正部と、
前記訂正部により誤り訂正された信号を復号して出力する復号部と、
を備えることを特徴とする受信装置。
【請求項４】
地上放送局が送信した放送信号を衛星を介して受信する第１の受信部と、
前記第１の受信部により受信された信号を復調する第１の復調部と、
前記復調された信号に識別情報及び制御信号に基づく出力レベル情報を付加する情報付加部と、
前記識別情報及び出力レベル情報を付加された信号を変調する変調部と、
前記情報付加部から前記出力レベル情報を供給され、前記変調部により変調された信号を前記出力レベル情報に対応した出力レベルで出力する出力部と、
を有する再生中継器と、
前記再生中継器が出力する信号を受信する第２の受信部と、
前記第２の受信部により受信された信号を復調する第２の復調部と、
前記第２の復調部により復調された信号から前記識別情報及び出力レベル情報を検出する訂正部と、
前記第２の受信部からの受信電力レベル情報と前記訂正部からの出力レベル情報との比較結果及び前記訂正部からの前記識別情報に基づいて前記制御信号を出力する制御信号出力部と、
を有する受信品質測定装置と、
を備えることを特徴とする再生中継システム。
【請求項５】
地上放送局が送信した放送信号を衛星を介して受信する第１の受信部と、
前記第１の受信部により受信された信号を復調する第１の復調部と、
前記復調された信号に識別情報を付加する情報付加部と、
前記識別情報を付加された信号を変調する変調部と、
前記変調部により変調された信号を出力する出力部と、
を有する再生中継器と、
前記再生中継器が出力する信号を受信する第２の受信部と、
前記第２の受信部が受信した信号から複数のパスを検出する相関部と、
少なくとも一つの前記パスの信号を復調する第２の復調部と、
前記第２の復調部により復調された信号から前記識別情報を検出する情報検出部と、
前記複数のパスから所定の数のパスを選択するパス選択部と、
前記選択されたパスを復調し、前記識別情報と同じ識別情報を含む信号を合成する復調合成部と、
前記復調合成部により復調合成された信号の誤りを訂正する訂正部と、
前記訂正部により誤りを訂正された信号を復号し出力する復号部と、
を有する受信装置と、
を備えることを特徴とする再生中継システム。
【発明の詳細な説明】
【技術分野】
【０００１】
本発明は、再生中継器、受信装置及び再生中継システムに関するものである。
【背景技術】
【０００２】
放送衛星や通信衛星を利用した衛星放送システムは、地上に大がかりなインフラを整備しなくても広範囲のサービスエリアに対し情報放送サービスを提供できるものである。２．６ＧＨｚ帯の衛星デジタル放送システムの伝送方式にはスペクトラム拡散技術を用いたＣＤＭ（Ｃｏｄｅ  Ｄｉｖｉｓｉｏｎ  Ｍｕｌｔｉｐｌｅ：符号分割多重）方式が採用されている。この衛星放送システムではビル陰など衛星からの放送波が届かない範囲でも受信できるようにするために、一度衛星からの放送波を受信し、出力を増幅して再送信するギャップフィラー（再生中継器）を地上に設置している（例えば特許文献１参照）。
【０００３】
しかし、ギャップフィラー設置後、新しいビル設置等の影響で再送信される放送波の伝播路が変化し、ギャップフィラーがカバーするサービスエリア（カバレッジ）内の受信品質が劣化するという問題を有していた。
【０００４】
また、１つのギャップフィラーのカバレッジから他のギャップフィラーのカバレッジへ移動しながら信号を受信する場合、受信装置は受信信号状態の悪いカバレッジの信号を補足しつづけ、受信信号状態の良いカバレッジの信号を受信するタイミングが遅れるという現象が生じ、一時的に受信品質が劣化するという問題を有していた。
【特許文献１】特開２００５−１２３９０１号公報
【発明の開示】
【発明が解決しようとする課題】
【０００５】
本発明は上記事情に着目してなされたもので、その目的とするところは、受信品質の良い再生中継器、受信装置及び再生中継システムを提供することである。
【課題を解決するための手段】
【０００６】
本発明の一態様による再生中継器は、地上放送局が送信した放送信号を衛星を介して受信する受信部と、前記受信部により受信された信号を復調する復調部と、前記復調された信号に識別情報及び出力レベル情報を付加する情報付加部と、前記識別情報及び出力レベル情報を付加された信号を変調する変調部と、前記変調部により変調された信号を前記出力レベル情報に対応した出力レベルで出力する出力部と、を備えるものである。
【０００７】
また、本発明の一態様による再生中継器は、地上放送局が送信した放送信号を衛星を介して受信する受信部と、前記受信部により受信された信号を復調する復調部と、外部から制御信号を受信し、前記復調された信号に識別情報及び前記制御信号に基づいて設定された出力レベル情報を付加する情報付加部と、前記識別情報及び出力レベル情報を付加された信号を変調する変調部と、前記情報付加部から前記出力レベル情報を受信し、前記変調部により変調された信号を前記出力レベル情報に対応した出力レベルで出力する出力部と、を備えるものである。
【０００８】
本発明の一態様による受信装置は、地上放送局が送信した放送信号を衛星を介して受信し、その受信信号に識別情報を付加して再送信する再生中継器から信号を受信する受信装置であって、前記再生中継器からの信号を受信する受信部と、前記受信部が受信した信号から複数のパスを検出する相関部と、少なくとも一つの前記パスの信号を復調する復調部と、前記復調部により復調された信号から前記識別情報を検出する情報検出部と、前記複数のパスから所定の数のパスを選択するパス選択部と、前記選択されたパスを復調し、前記識別情報と同じ識別情報を有する信号を合成する復調合成部と、前記復調合成部により復調合成された信号の誤りを訂正する訂正部と、前記訂正部により誤り訂正された信号を復号して出力する復号部と、を備えるものである。
【０００９】
本発明の一態様による再生中継システムは、地上放送局が送信した放送信号を衛星を介して受信する第１の受信部と、前記第１の受信部により受信された信号を復調する第１の復調部と、前記復調された信号に識別情報及び制御信号に基づく出力レベル情報を付加する情報付加部と、前記識別情報及び出力レベル情報を付加された信号を変調する変調部と、前記情報付加部から前記出力レベル情報を供給され、前記変調部により変調された信号を前記出力レベル情報に対応した出力レベルで出力する出力部と、を有する再生中継器と、前記再生中継器が出力する信号を受信する第２の受信部と、前記第２の受信部により受信された信号を復調する第２の復調部と、前記第２の復調部により復調された信号から前記識別情報及び出力レベル情報を検出する訂正部と、前記第２の受信部からの受信電力レベル情報と前記訂正部からの出力レベル情報との比較結果及び前記訂正部からの前記識別情報に基づいて前記制御信号を出力する制御信号出力部と、を有する受信品質測定装置と、を備えるものである。
【００１０】
また、本発明の一態様による再生中継システムは、地上放送局が送信した放送信号を衛星を介して受信する第１の受信部と、前記第１の受信部により受信された信号を復調する第１の復調部と、前記復調された信号に識別情報を付加する情報付加部と、前記識別情報を付加された信号を変調する変調部と、前記変調部により変調された信号を出力する出力部と、を有する再生中継器と、前記再生中継器が出力する信号を受信する第２の受信部と、前記第２の受信部が受信した信号から複数のパスを検出する相関部と、少なくとも一つの前記パスの信号を復調する第２の復調部と、前記第２の復調部により復調された信号から前記識別情報を検出する情報検出部と、前記複数のパスから所定の数のパスを選択するパス選択部と、前記選択されたパスを復調し、その復調した信号のうち前記識別情報と同じ識別情報を含む信号を合成する復調合成部と、前記復調合成部により復調合成された信号の誤りを訂正する訂正部と、前記訂正部により誤りを訂正された信号を復号し出力する復号部と、を有する受信装置と、を備えるものである。
【発明の効果】
【００１１】
本発明によれば、再生中継器から再送信された信号を品質良く受信できる。
【発明を実施するための最良の形態】
【００１２】
以下、本発明の実施の形態を図面に基づいて説明する。
【００１３】
（第１の実施形態）図１に本発明の第１の実施形態による再生中継システムの概略構成を示す。地上放送局１４から送信された放送波は衛星１０を介して直接または地上に設置されたｎ個の再生中継器（ＧＦ１〜ＧＦｎ）により再送信されて受信される。受信品質測定装置１１は再生中継器ＧＦ１の出力する再送信信号を受信している。また、再生中継器ＧＦ２が出力し、ビル１２、１３で反射した信号を受信している。
【００１４】
図２に再生中継器の概略構成を示す。衛星からの信号を受信部２１で受信しベースバンドに周波数変換する。この周波数変換した信号を復調部２２で復調し、その復調信号に情報付加部２３で再生中継器識別情報および再生中継器出力レベル情報を付加する。再生中継器識別情報はそれぞれの再生中継器に固有の識別番号である。情報付加部２３にはこの再生中継器の出力レベルの増減を制御する制御信号が入力される。再生中継器識別情報および再生中継器出力レベル情報が付加された信号は変調部２４で変調され、出力部２５から再送信される。出力部２５には情報付加部２３から出力レベル情報が入力され、その出力レベル情報に合わせて再送信する信号の出力レベルを変える。
【００１５】
図３に受信品質測定装置の概略構成を示す。アンテナ３１で受けた信号をチューナ（受信部）３２で受信検波し、受信した信号の電力レベル情報が算出され、制御信号出力部３６へ供給される。復調部３３は受信された信号を復調する。訂正部３４は復調された信号の誤り訂正をし、その信号に付加された再生中継器識別情報及び再生中継器出力レベル情報を検出して制御信号出力部３６へ出力する。誤り訂正された信号は復号部３５で復号され、出力される。制御信号出力部３６は受信した信号の電力レベル情報と再生中継器出力レベル情報を比較し、比較結果を基準にして受信した信号を出力した再生中継器へ出力レベルの増減を制御する制御信号を出力する。
【００１６】
この受信品質測定装置１１を再生中継器のカバレッジ内で移動させ、再生中継器の出力レベルを制御する。例えば再生中継器からの直接波を受信できる（受信した信号の電力レベルと再生中継器出力レベルがほぼ等しい）場合は、再生中継器出力レベルを下げるように制御する。また、再生中継器からの直接波をほとんど受信できず、反射回数の多い信号しか受信できない（受信した信号の電力レベルが再生中継器出力レベルより低い）場合は、再生中継器出力レベルを上げるように制御する。また、再生中継器からの直接波をほとんど受信できず、反射回数の多い信号しか受信できなく、かつ衛星からの信号（再生中継器識別情報が無い信号）を直接受信できる場合は、再生中継器設置の効果が小さいため、再生中継器出力レベルを下げるように制御する。このように再生中継器の出力レベルをカバレッジ内の状況に適応した値に設定することで、受信品質を良好に保つことができる。
【００１７】
再生中継器出力レベルの制御は受信した信号の電力レベルと再生中継器出力レベルの比較結果だけでなく、ビットエラーレート（Ｂｉｔ  Ｅｒｒｏｒ  Ｒａｔｅ：ビット誤り率）、送信信号規定点と復調信号点のずれ具合、Ｆｉｎｇｅｒ数等を考慮して制御してもよい。ビットエラーレートは訂正部３４で算出され、制御信号出力部３６へ供給される。送信信号規定点と復調信号点のずれ具合及びＦｉｎｇｅｒ数は復調部３３から制御信号出力部３６へ供給される。また、受信品質測定装置が制御信号を出力するのではなく、比較結果を基に、再生中継器のＭＭＩ（Ｍａｎ−Ｍａｃｈｉｎｅ  Ｉｎｔｅｒｆａｃｅ：マンマシンインターフェイス）から人によって出力レベルを変更しても良い。
【００１８】
このように本発明の第１の実施形態による再生中継システム及びその再生中継器により、再生中継器のカバレッジ内で新たなビルが建つなどの影響で再送信信号の伝播経路が変わっても受信品質を良好に保つことができる。
【００１９】
（第２の実施形態）図４に第２の実施形態による再生中継システムの概略構成を示す。地上放送局１４から送信された放送波は衛星１０を介し、地上に設置された再生中継器ＧＦ１、ＧＦ２により再送信される。受信装置４３は再生中継器ＧＦ１のカバレッジ４１から再生中継器ＧＦ２のカバレッジ４２へ移動している。
【００２０】
図５に再生中継器の概略構成を示す。衛星からの信号を受信部５１で受信しベースバンドに周波数変換する。この周波数変換した信号を復調部５２で復調し、その復調信号に情報付加部５３で再生中継器位置情報、再生中継器識別情報及び再生中継器出力レベル情報を付加する。再生中継器識別情報はそれぞれの再生中継器に固有の識別番号である。これらの情報が付加された信号は変調部５４で変調され、出力部５５から再送信される。
【００２１】
図６に受信装置４３の概略構成を示す。アンテナ６１で受けた信号をチューナ（受信部）６２で受信検波し、ＣＤＭ復調部６３でＣＤＭ復調する。訂正部６４はＣＤＭ復調信号の誤り訂正をし、誤り訂正された信号は復号部６５で復号され、出力される。
【００２２】
図７にＣＤＭ復調部６３の概略構成を示す。相関部（マッチドフィルタ）７１で受信信号、ロングコード（Ｍ系列の部分列）及びショートコード（Ｗａｌｓｈコード）の排他的論理和値を計算して相関値の瞬時値を算出し、パスを検出する。図８に相関値の瞬時値の一例を示す。一般に受信装置は建物や地形などの障害での反射・回折による複数の経路からの信号（マルチパス）を受信しており、ここではｎ個のマルチパスがあるとする。相関値が最大のパス（図８ではパス４）の信号を逆拡散復調部７４で復調し、その復調した信号に付加された再生中継器位置情報、再生中継器識別情報及び再生中継器出力レベル情報を情報検出部７５で検出する。
【００２３】
パスサーチ（パス選択部）７２は受信品質の優れた（相関値が高い）所定の個数（Ｆｉｎｇｅｒ数）のパスを選択する。ＲＡＫＥ回路（復調合成部）７３はパスサーチ７２で選択されたパスを復調し、情報検出部７５で検出された再生中継器識別情報と同じ再生中継器識別情報を有するパスの信号の位相をそろえて合成（最大比合成）して、ＣＤＭ復調信号を算出する。
【００２４】
この受信装置では、相関値が最大となる信号を送信している再生中継器が変わったことを検出することができるため、１つのギャップフィラーのカバレッジから他のギャップフィラーのカバレッジへ移動しながら放送波を受信する場合、受信信号状態の良いカバレッジの信号をタイミング良く受信することができる。
【００２５】
上述した実施の形態はいずれも一例であって制限的なものではないと考えられるべきである。例えば、上記第２の実施形態では、再生中継器を上記第１の実施形態における再生中継器と同じ構成にしてもよい。また、再生中継器の情報付加部で再生中継器位置情報、再生中継器識別情報及び再生中継器出力レベル情報を付加していたが、再生中継器の出力レベルがすべて同じであれば、再生中継器出力レベル情報を付加しなくてもよい。また、再生中継器位置情報を付加しなくてもよい。本発明の技術的範囲は特許請求の範囲によって示され、特許請求の範囲と均等の意味および範囲内でのすべての変更が含まれることが意図される。
【図面の簡単な説明】
【００２６】
【図１】本発明の第１の実施形態による再生中継システムの概略構成図である。
【図２】同第１の実施形態による再生中継システムにおける再生中継器の概略構成図である。
【図３】同第１の実施形態による再生中継システムにおける受信品質測定装置の概略構成図である。
【図４】本発明の第２の実施形態による再生中継システムの概略構成図である。
【図５】同第２の実施形態による再生中継システムにおける再生中継器の概略構成図である。
【図６】同第２の実施形態による再生中継システムにおける受信装置の概略構成図である。
【図７】同第２の実施形態による再生中継システムにおける受信装置のＣＤＭ復調部の概略構成図である。
【図８】同第２の実施形態による再生中継システムにおける受信装置での相関値の一例を示す図である。
【符号の説明】
【００２７】
１０  衛星
１１  受信品質測定装置
１４  地上放送局
４１、４２  カバレッジ
４３  受信装置
【図１】
2007336209.tif 000003
【図２】
2007336209.tif 000004
【図３】
2007336209.tif 000005
【図４】
2007336209.tif 000006
【図５】
2007336209.tif 000007
【図６】
2007336209.tif 000008
【図７】
2007336209.tif 000009
【図８】
2007336209.tif 000010